(57)【特許請求の範囲】
【請求項１】
種別が異なる複数の管理対象情報を記憶した記憶手段と、
携帯端末装置である要求元が前記管理対象情報の提供を要求した場合、前記管理対象情報の提供を要求した場所における前記要求元から送信された該場所を特定する場所特定情報を受信する受信手段と、
前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段と、
前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段と、
を含む情報処理装置。
【請求項２】
前記提供手段は、予め定められた期間に提供した実績のある前記管理対象情報を提供対象の候補とし、前記要求元に対して、提供対象の候補のうちの要求された管理対象情報を提供する請求項１に記載の情報処理装置。
【請求項３】
前記提供手段は、予め定められた回数以上提供した実績のある前記管理対象情報を提供対象の候補とし、前記要求元に対して、提供対象の候補のうちの要求された管理対象情報を提供する請求項１に記載の情報処理装置。
【請求項４】
前記提供手段は、予め定められた期間に提供した実績のある前記管理対象情報のうち予め定められた回数以上提供した実績のある前記管理対象情報を提供対象の候補とし、前記要求元に対して、提供対象の候補のうちの要求された管理対象情報を提供する請求項１に記載の情報処理装置。
【請求項５】
前記要求元に対して、前記提供対象の候補の前記提供手段による過去の提供回数を提示する提示手段を更に含む請求項３又は請求項４に記載の情報処理装置。
【請求項６】
前記提供手段は、前記受信手段で受信された前記場所特定情報により特定される場所の周辺の場所を特定する場所特定情報が前記記憶手段に記憶されている場合に、前記要求元に対して、前記周辺の場所を特定する場所特定情報に対応付けられている前記管理対象情報を更に提供する請求項１〜請求項５の何れか１項に記載の情報処理装置。
【請求項７】
管理対象情報の提供が要求された場所において該場所を特定する場所特定情報を送信する携帯端末装置と、
種別が異なる複数の管理対象情報を記憶した記憶手段、前記携帯端末装置である要求元が前記管理対象情報の提供を要求した場合、前記管理対象情報の提供を要求した場所における前記要求元から送信された該場所を特定する場所特定情報を受信する受信手段、前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段、並びに前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段を有する情報処理装置と、
を含む情報処理システム。
【請求項８】
コンピュータを、
種別が異なる複数の管理対象情報を記憶した記憶手段に記憶されている前記管理対象情報の提供を携帯端末装置である要求元が要求した場合、前記管理対象情報の提供を要求した場所における前記要求元から送信された該場所を特定する場所特定情報を受信する受信手段、
前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段、
並びに、前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段として機能させるためのプログラム。
【発明の詳細な説明】
【技術分野】
【０００１】
本発明は、情報処理装置、情報処理システム及びプログラムに関する。
【背景技術】
【０００２】
特許文献１には、発表会に参加した参加者に対して発表資料を提供するシステムが開示されている。このシステムでは、発表資料と発表場所とを関連付けると共に、参加者と発表場所とを関連付けることで、結果的に参加者と発表資料とを関連付ける構成を採用している。そして、発表中に参加者がシステムに対して発表資料の配布を要求することで、発表会の終了後に、システムは、発表資料の配布を要求した参加者に対して資料を配布する。
【先行技術文献】
【特許文献】
【０００３】
【特許文献１】特開２００２−３６９１６７号公報
【発明の概要】
【発明が解決しようとする課題】
【０００４】
本発明の課題は、管理対象情報要求者と管理対象情報とを事前に関連付けなくとも管理対象情報を提供する、情報処理装置、情報処理システム、及びプログラムを提供することである。
【課題を解決するための手段】
【０００５】
上記目的を達成するために、請求項１に記載の情報処理装置を、種別が異なる複数の管理対象情報を記憶した記憶手段と、携帯端末装置である要求元が前記管理対象情報の提供を要求した場合、前記管理対象情報の提供を要求した場所における前記要求元から送信された該場所を特定する場所特定情報を受信する受信手段と、前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段と、前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段と、を含んで構成した。
【０００６】
請求項１に記載の情報処理装置を、請求項２に記載の発明のように、前記提供手段が、予め定められた期間に提供した実績のある前記管理対象情報を提供対象の候補とし、前記要求元に対して、提供対象の候補のうちの要求された管理対象情報を提供するものとした。
【０００７】
請求項１に記載の情報処理装置を、請求項３に記載の発明のように、前記提供手段が、予め定められた回数以上提供した実績のある前記管理対象情報を提供対象の候補とし、前記要求元に対して、提供対象の候補のうちの要求された管理対象情報を提供するものとした。
【０００８】
請求項１に記載の情報処理装置を、請求項４に記載の発明のように、前記提供手段が、予め定められた期間に提供した実績のある前記管理対象情報のうち予め定められた回数以上提供した実績のある前記管理対象情報を提供対象の候補とし、前記要求元に対して、提供対象の候補のうちの要求された管理対象情報を提供するものとした。
【０００９】
請求項３又は請求項４に記載の情報処理装置を、請求項５に記載の発明のように、前記要求元に対して、前記提供対象の候補の前記提供手段による過去の提供回数を提示する提示手段を更に含むものとした。
【００１０】
請求項１〜請求項５の何れか１項に記載の情報処理装置を、請求項６に記載の発明のように、前記提供手段が、前記受信手段で受信された前記場所特定情報により特定される場所の周辺の場所を特定する場所特定情報が前記記憶手段に記憶されている場合に、前記要求元に対して、前記周辺の場所を特定する場所特定情報に対応付けられている前記管理対象情報を更に提供するものとした。
【００１１】
上記目的を達成するために、請求項７に記載の情報処理システムを、管理対象情報の提供が要求された場所において該場所を特定する場所特定情報を送信する携帯端末装置と、種別が異なる複数の管理対象情報を記憶した記憶手段、前記携帯端末装置である要求元が前記管理対象情報の提供を要求した場合、前記管理対象情報の提供を要求した場所における前記要求元から送信された該場所を特定する場所特定情報を受信する受信手段、前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段、並びに前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段を有する情報処理装置と、を含んで構成した。
【００１２】
上記目的を達成するために、請求項８に記載のプログラムを、種別が異なる複数の管理対象情報を記憶した記憶手段に記憶されている前記管理対象情報の提供を携帯端末装置である要求元が要求した場合、前記管理対象情報の提供を要求した場所における前記要求元から送信された該場所を特定する場所特定情報を受信する受信手段、前記複数の管理対象情報に場所特定情報が対応付けられていない状態で前記受信手段により場所特定情報が受信された場合に、受信された場所特定情報を前記複数の管理対象情報に対応付けて前記記憶手段に記憶するように制御する制御手段、並びに、前記複数の管理対象情報に場所特定情報が対応付けられていない状態で前記受信手段により場所特定情報が受信された場合、及び、前記複数の管理対象情報に対応付けられている場所特定情報に相当する場所特定情報が前記受信手段により受信された場合に、前記記憶手段に記憶されている前記複数の管理対象情報の中から、前記受信手段により受信された場所特定情報が対応付けられている管理対象情報を取得すると共に、当該取得により、前記受信手段により受信された場所特定情報が対応付けられている管理対象情報が複数取得された場合には、取得された複数の管理対象情報をまとめて前記要求元へ提供する提供手段としてコンピュータを機能させるためのものとした。
【発明の効果】
【００１３】
請求項１、７、８に係る発明によれば、本構成を有しない場合に比べ、管理対象情報要求者と管理対象情報とを事前に関連付けなくとも管理対象情報が提供される、という効果が得られる。
【００１４】
請求項２に係る発明によれば、本構成を有しない場合に比べ、管理対象情報が厳選されて提供される、という効果が得られる。
【００１５】
請求項３に係る発明によれば、本構成を有しない場合に比べ、管理対象情報が厳選されて提供される、という効果が得られる。
【００１６】
請求項４に係る発明によれば、本構成を有しない場合に比べ、管理対象情報が厳選されて提供される、という効果が得られる。
【００１７】
請求項５に係る発明によれば、本構成を有しない場合に比べ、提供される候補となる管理対象情報の過去の提供実績が参考情報として提供される、という効果が得られる。
【００１８】
請求項６に係る発明によれば、受信手段で受信された場所特定情報により特定される場所の周辺の場所を特定する場所特定情報に対応付けられている管理対象情報を更に提供する構成を有しない場合に比べ、携帯端末装置が現在存する場所の周辺で提供された実績のある管理対象情報が簡易かつ高精度に提供される、という効果が得られる。
【図面の簡単な説明】
【００１９】
【図１】実施形態に係る情報処理システムの要部機能の一例を示す機能ブロック図である。
【図２】実施形態に係る情報処理システムに含まれる情報処理装置の電気系の構成の一例を示すブロック図である。
【図３】実施形態に係る情報処理システムに含まれる携帯端末装置の電気系の構成の一例を示すブロック図である。
【図４】実施形態に係る情報処理装置に含まれる履歴ＤＢの構成の一例を示す模式図である。
【図５】実施形態に係る情報処理装置に含まれる管理対象特定ＤＢの構成の一例を示す模式図である。
【図６】実施形態に係る携帯端末装置で行われる提供要求処理の流れの一例を示すフローチャートである。
【図７】実施形態に係る携帯端末装置の表示部に表示された条件受付画面の態様の一例を示す態様図である。
【図８】実施形態に係る携帯端末装置の表示部に表示された提供候補一覧画面の態様の一例を示す態様図である。
【図９】実施形態に係る情報処理装置で行われる提供処理の流れの一例を示すフローチャートである。
【図１０】実施形態に係る情報処理システムを利用してある発表会において発表者及び参加者に提供された資料の提供状態の一例を示す模式図である。
【発明を実施するための形態】
【００２０】
以下、図面を参照して開示の技術の実施形態の一例を詳細に説明する。なお、以下の説明では、情報処理システムの一例として、ＧＰＳ（global positioning system）機能付きのタブレット型の携帯端末装置とサーバ装置とを含んで構成された情報処理システムを挙げて説明する。ここで言う「サーバ装置」の一例としては、携帯端末装置からの要求に応じたサービスを提供するサーバ装置が挙げられる。なお、携帯端末装置はタブレット型に限定されるものではなく、例えば多機能型の携帯電話機（いわゆるスマートフォン）や携帯型のパーソナルコンピュータなどであってもよい。
【００２１】
図１には、本実施形態に係る情報処理システム１０の要部機能の一例が示されている。情報処理システム１０は、携帯端末装置１２及び情報処理装置の一例であるサーバ装置１４を含んで構成されている。サーバ装置１４は、受信部１６、制御部１８、提供部２０及び記憶部２２を備えている。
【００２２】
携帯端末装置１２は、現在の場所を特定する場所特定情報２６を取得する。場所特定情報の一例としてはＧＰＳ情報が挙げられる。本実施形態に係る携帯端末装置１２はＧＰＳ機能を備えており、ＧＰＳ機能を働かせることで現在存する場所を特定するＧＰＳ情報を取得する。ここで言う「ＧＰＳ情報」とは、例えば複数のＧＰＳ衛星からの電波を受信することで、数cmから数十mの誤差で割り出される現在位置を特定する緯度・経度・高度などを示す情報である。また、本実施形態に係る情報処理システム１０では、携帯端末装置１２とサーバ装置１４が例えば無線通信により情報の授受を行う。従って、携帯端末装置１２は、現在存する場所として特定した場所を示す場所特定情報２６をサーバ装置１４に送信する。携帯端末装置１２から送信された場所特定情報２６はサーバ装置１４の受信部１６で受信される。
【００２３】
サーバ装置１４の記憶部２２には管理対象情報２４が記憶されており、サーバ装置１４に対して、携帯端末装置１２から管理対象情報２４の提供が要求される。ここで言う「携帯端末装置１２から管理対象情報２４の提供が要求される」とは、例えばサーバ装置１４の受信部１６が、記憶部２２に記憶されている管理対象情報２４の提供が要求された場所における携帯端末装置１２から送信された場所特定情報２６を受信することを指す。
【００２４】
制御部１８は、受信部１６で受信された場所特定情報２６を管理対象情報２４に対応付けて記憶部２２に記憶するように制御する。提供部２０は、受信部１６で受信された場所特定情報２６に相当する場所特定情報２６が記憶部２２に記憶されている場合に、その相当する場所特定情報２６が対応付けられている管理対象情報２４を提供する。ここで言う「場所特定情報２６に相当する場所特定情報２６」とは、受信部１６で受信された場所特定情報２６と相違しない場所特定情報２６の他に、受信部１６で受信された場所特定情報２６により特定される場所と予め定められた誤差（ずれ量）内にある場所を特定する場所特定情報２６も意味する。予め定められた誤差は、例えば数メートル単位（例えば、使用するＧＰＳで生じる誤差）で設定されればよい。また、ここで言う「管理対象情報２４を提供する」とは、例えば無線通信により管理対象情報２４を携帯端末装置１２に送信することで携帯端末装置１２に提供することを指す。
【００２５】
また、提供部２０は、予め定められた期間に提供した実績のない管理対象情報２４を提供対象としない。すなわち、予め定められた期間に提供した実績のある管理対象情報２４を提供対象の候補とした上で、その候補の中から受信部１６で受信された場所特定情報２６に相当する場所特定情報２６に対応付けられた管理対象情報２４を提供する。
【００２６】
また、提供部２０は、予め定められた回数（例えば１回）提供した実績のない管理対象情報２４を提供対象としない。すなわち、予め定められた回数提供した実績のある管理対象情報２４を提供対象の候補とした上で、その候補の中から受信部１６で受信された場所特定情報２６に相当する場所特定情報２６に対応付けられた管理対象情報２４を提供する。
【００２７】
また、提供部２０は、受信部１６で受信された場所特定情報２６に相当する場所特定情報２６が記憶部２２に記憶されている場合に、その相当する場所特定情報２６に対応付けられている管理対象情報２４であって提供回数が最多の管理対象情報２４を提供する。なお、詳しくは後述するが、本実施形態では、例えば、先ず提供回数が最多の管理対象情報２４を特定する情報（管理対象特定情報やタイトル情報）をユーザに提供する。そして、ユーザが提供回数の最多の管理対象情報２４の提供を要求した場合に携帯端末装置１２に対して、提供回数の最多の管理対象情報２４を提供する構成を採用している。
【００２８】
また、提供部２０は、受信部１６で受信された場所特定情報２６により特定される場所の周辺の場所を特定する場所特定情報２６が記憶部２２に記憶されている場合に、その周辺の場所を特定する場所特定情報２６に対応付けられている管理対象情報２４を提供する。ここで言う「周辺の場所」とは、上記の予め定められた誤差で吸収されない場所であり、かつ、例えばユーザによって指定された範囲内の場所を指す。例えば、受信された場所特定情報により特定される場所を中心にして半径１０ｍ未満が予め定められた誤差として設定され、中心から半径４０ｍがユーザによって指定された場合、中心から半径１０ｍ以上４０ｍ以下の範囲に含まれる場所が「周辺の場所」とされる。
【００２９】
受信部１６、制御部１８及び提供部２０は、例えばサーバ装置１４に内蔵された図２に示すコンピュータ３０及びその他の入出力デバイスによって実現される。図２には、サーバ装置１４の電気系の要部構成の一例が示されている。図２に示すように、コンピュータ３０は、ＣＰＵ（Central Processing Unit）３２、メモリ３４及び不揮発性の記憶部３６を備え、これらはアドレスバスやシステムバス等を含んで構成されたバス３８を介して互いに接続されている。なお、記憶部３６は、ＨＤＤ（Hard Disk Drive）やフラッシュメモリなどによって実現される。記憶媒体としての記憶部３６には、提供処理プログラム４０、履歴ＤＢ（データベース）４４及び管理対象特定ＤＢ４６が記憶されている。また、記憶部３６の予め定められた記憶領域３６Ａには管理対象情報２４が記憶されており、場所特定情報２６の一例であるＧＰＳ情報４２が対応付けられて記憶される。
【００３０】
ＣＰＵ３２は、記憶部３６から提供処理プログラム４０を読み出してメモリ３４に展開し、提供処理プログラム４０が有するプロセスを順次実行する。提供処理プログラム４０は、受信プロセス４８、制御プロセス５０及び提供プロセス５２を有する。ＣＰＵ３２は、受信プロセス４８を実行することで、図１に示す受信部１６として動作する。ＣＰＵ３２は、制御プロセス５０を実行することで、図１に示す制御部１８として動作する。ＣＰＵ３２は、提供プロセス５２を実行することで、図１に示す提供部２０として動作する。
【００３１】
このように受信部１６、制御部１８及び提供部２０がコンピュータ３０で実現される場合、管理対象情報２４、ＧＰＳ情報４２、履歴ＤＢ４４及び管理対象特定ＤＢ４６を記憶する記憶部３６は図１に示す記憶部２２として用いられる。
【００３２】
なお、ここでは提供処理プログラム４０を記憶部３６から読み出す場合を例示したが、必ずしも最初から記憶部３６に記憶させておく必要はない。例えば、コンピュータ３０に接続されて使用されるフレキシブルディスク、いわゆるＦＤ、ＣＤ−ＲＯＭ、ＤＶＤディスク、光磁気ディスク、ＩＣカードなどの任意の「可搬型の記憶媒体」に先ずは各プログラムを記憶させておいてもよい。そして、コンピュータ３０がこれらの可搬型の記憶媒体から各プログラムを取得して実行するようにしてもよい。また、インターネットやＬＡＮ（Local Area Network）などを介してコンピュータ３０に接続される他のコンピュータまたはサーバ装置などに各プログラムを記憶させておき、コンピュータ３０がこれらから各プログラムを取得して実行するようにしてもよい。
【００３３】
サーバ装置１４は、コンピュータ３０と各種の入出力デバイスとを電気的に接続してコンピュータ３０と各種の入出力デバイスとの間の各種情報の送受信を司るインプット・アウトプット・インターフェース（Ｉ／Ｏ）５４を備えている。本実施形態では、Ｉ／Ｏ５４に接続されることにより、バス３８を介してコンピュータ３０と電気的に接続される入出力デバイスとして、受付部５６、表示部５８、外部Ｉ／Ｆ（インタフェース）６０及び通信部６２を備えている。
【００３４】
受付部５６は、サーバ装置１４の利用者による操作入力を受け付ける。受付部５６としては、例えばキーボード、マウス、ディスプレイに重ねて用いられる透過型のタッチパネル、電源投入用の操作ボタン、各種情報の設定用の操作ボタン及びスクロールキーなどの入力デバイスが挙げられる。
【００３５】
表示部５８は、各種情報を表示する。表示部５８としては、例えば液晶ディスプレイが挙げられる。なお、本実施形態では、表示部５８としての液晶ディプレイに対して受付部５６の一部であるタッチパネルを重ね合わせることによって形成されたタッチパネル・ディスプレイを採用している。
【００３６】
外部Ｉ／Ｆ６０は、パーソナルコンピュータやプリンタなどの外部装置が接続されており、外部装置とコンピュータ３０との各種情報の送受信を司る。通信部６２は、例えばインターネットやＬＡＮなどの通信網に接続されており、通信網に接続された携帯端末装置１２とコンピュータ３０との各種情報の送受信を司る。
【００３７】
図３には、携帯端末装置１２の電気系の要部構成の一例が示されている。図３に示すように、携帯端末装置１２は、コンピュータ７０を含んで構成されている。コンピュータ７０は、ＣＰＵ７０Ａ、ＲＯＭ（Read Only Memory）７０Ｂ、ＲＡＭ（Random Access Memory）７０Ｃ及び二次記憶部（一例としてフラッシュメモリ)７０Ｄを含んで構成されている。ＣＰＵ７０Ａは、携帯端末装置１２全体の動作を司る。ＲＯＭ７０Ｂは、携帯端末装置１２の基本的な作動を制御する制御プログラムや後述する提供要求処理を実現するためにＣＰＵ７０Ａによって実行される提供要求処理プログラム、各種パラメータ等を予め記憶する記憶手段として機能する。ＲＡＭ７０Ｃは、各種プログラムの実行時のワークエリア等として用いられるものである。二次記憶部７０Ｄは、装置の電源スイッチが切られても保持しなければならない各種情報を記憶する不揮発性の記憶手段として機能する。ＣＰＵ７０Ａ、ＲＯＭ７０Ｂ、ＲＡＭ７０Ｃ及び二次記憶部７０Ｄは、アドレスバスやシステムバス等を含んで構成されたバス７２を介して互いに接続されている。従って、ＣＰＵ７０Ａは、ＲＯＭ７０Ｂ、ＲＡＭ７０Ｃ及び二次記憶部７０Ｄからの情報の読み出しと、ＲＡＭ７０Ｃ及び二次記憶部７０Ｄへの情報の書き込みと、を各々行う。
【００３８】
携帯端末装置１２は、コンピュータ７０と各種の入出力デバイスとを電気的に接続してコンピュータ７０と各種の入出力デバイスとの各種情報の送受信を司るＩ／Ｏ７４を備えている。本実施形態では、Ｉ／Ｏ７４に接続されることにより、バス７２を介してコンピュータ７０と電気的に接続される入出力デバイスとして、受付部７６、表示部７８、通信部８０及びＧＰＳ受信部８２を備えている。
【００３９】
受付部７６は、例えば携帯端末装置１２の利用者や携帯端末装置１２の保守・点検を行う業者による操作入力を受け付ける。受付部７６としては、例えばディスプレイに重ねて用いられる透過型のタッチパネル、電源投入用の操作ボタン、各種情報の設定用の操作ボタン及びスクロールキーなどの入力デバイスが挙げられる。
【００４０】
表示部７８は、各種情報を表示する。表示部７８としては、例えば液晶ディスプレイが挙げられる。なお、本実施形態では、表示部７８としての液晶ディプレイに対して受付部７６の一部であるタッチパネルを重ね合わせることによって形成されたタッチパネル・ディスプレイを採用している。
【００４１】
通信部８０は、例えばインターネットやＬＡＮなどの通信網に接続されており、通信網に接続されたサーバ装置１４とコンピュータ７０との各種情報の送受信を司る。本実施形態に係る携帯端末装置１２にはＧＰＳ機能が搭載されている。本実施形態では、ＧＰＳ機能を実現するために、携帯端末装置１２がＧＰＳ受信部８２を備えている。ＧＰＳ受信部８２は、複数のＧＰＳ衛星からの電波を受信し、受信結果を示す受信結果情報をコンピュータ７０に出力する。従って、コンピュータ７０は、ＧＰＳ受信部８２から入力された受信結果情報に基づいて予め定められたプログラムを実行することにより携帯端末装置１２の現在位置をＧＰＳ情報４２として算出する。このようにして算出されたＧＰＳ情報４２は携帯端末装置１２により管理対象情報２４の提供をサーバ装置１４に要求する際に通信部８０を介してサーバ装置１４に送信される。サーバ装置１４は、携帯端末装置１２から送信されたＧＰＳ情報４２を受信し、受信したＧＰＳ情報４２を管理対象情報２４に対応付けたり、管理対象情報２４の取り出しに用いたりする。
【００４２】
図４には、履歴ＤＢ４４の構成の一例が模式的に示されている。履歴ＤＢ４４には、管理対象情報２４が記憶部３６から取り出された日時を示す日時情報が記憶されている。また、履歴ＤＢ４４には、記憶部３６から取り出された管理対象情報２４の用途の種類を示す種類情報が、日時情報により示される日時毎に記憶されている。また、履歴ＤＢ４４には、記憶部３６から管理対象情報２４を取り出した者（管理対象情報２４の提供を要求した者）を特定するユーザ情報が、日時情報により示される日時毎に記憶されている。また、履歴ＤＢ４４には、対応するユーザ情報により特定される者が管理対象情報２４の提供を要求した位置を特定するＧＰＳ情報４２（図４には「位置」と表記）が、日時情報により示される日時毎に記憶されている。また、履歴ＤＢ４４には、対応するユーザ情報により特定される者が記憶部３６から取り出した管理対象情報２４を一意に特定する管理対象特定情報（図４には「ハンドル」と表記）が、日時情報により示される日時毎に記憶されている。
【００４３】
図５には、管理対象特定ＤＢ４６の構成の一例が模式的に示されている。管理対象特定ＤＢ４６には、管理対象特定情報（図５には「ハンドル」と表記）が記憶されている。また、管理対象特定ＤＢ４６には、管理対象特定情報毎に、対応する管理対象特定情報により特定される管理対象情報２４に付されたタイトル（例えばファイル名）を示すタイトル情報が記憶されている。また、管理対象特定ＤＢ４６には、管理対象特定情報毎に、対応する管理対象特定情報により特定される管理対象情報２４の格納先（例えば管理対象情報２４が格納されているフォルダ）のアドレスを示す格納パスが記憶されている。
【００４４】
次に本実施形態の作用として、ＣＰＵ７０Ａが提供要求処理プログラムを実行することで携帯端末装置１２で行われる提供要求処理について、図６を参照して説明する。図６に示す提供要求処理では、先ず、ステップ１００において、ＣＰＵ７０Ａにより、記憶部３６に記憶されている管理対象情報２４の提供をサーバ装置１４に対して要求する指示が受付部７６で受け付けられたか否かが判定される。本ステップ１００において、受付部７６で管理対象情報２４の提供をサーバ装置１４に対して要求する指示（提供要求指示）が受け付けられた場合は判定が肯定されてステップ１０２へ移行する。本ステップ１００において受付部７６で提供要求指示が受け付けられていない場合は判定が否定されて本ステップ１００の判定が再び行われる。
【００４５】
ステップ１０２では、ＣＰＵ７０Ａにより、一例として図７に示すように条件受付画面８４が表示部７８に表示される。条件受付画面８４は、サーバ装置１４に対して提供を要求する管理対象情報２４を特定する条件を受け付ける画面である。条件受付画面８４には、ユーザ名及びパスワードが入力される項目が設けられている。また、条件受付画面８４には、記憶部３６に記憶されている管理対象情報２４が記憶部３６から取り出された（抽出された）時間帯を指定する“抽出時間帯”との項目が設けられている。すなわち、“抽出時間帯”との項目は、予め定められた期間に取り出された実績のある管理対象情報２４を提供要求の対象とするために、その予め定められた期間（過去の期間）を指定する項目である。図７に示す例では、今から３０分前までの間に記憶部３６から取り出された管理対象情報２４が今回の提供要求の対象とされる管理対象情報２４であることが示されている。なお、ここでは、プルダウンメニュー表示により複数の期間から１つが選択される構成を採用しているが、これに限らず、受付部７６で期間を受け付ける構成としてもよい。
【００４６】
また、条件受付画面８４には、記憶部３６に記憶されている管理対象情報２４について過去に提供の要求が行われた基準位置を指定する“基準位置”との項目が設けられている。図７に示す例では、携帯端末装置１２が現在存する場所で過去に管理対象情報２４の提供の要求が行われて記憶部３６から取り出された管理対象情報２４が今回の提供要求の対象とされる管理対象情報２４であることが示されている。つまり、図７に示す例では、“基準位置”との項目に“現在の場所”が指定されている。これは、携帯端末装置１２が現在存する位置で過去に管理対象情報２４の提供の要求が行われて記憶部３６から取り出された管理対象情報２４が今回の提供要求の対象とされることを意味している。しかし、開示の技術はこれに限定されるものではない。例えば“現在の場所から５ｍ北西の場所”と指定されると、携帯端末装置１２が現在存する場所から５ｍ北西の場所で過去に提供の要求が行われて記憶部３６から取り出された管理対象情報２４が今回の提供要求の対象とされる。このように“基準位置”は携帯端末装置１２が現在存する位置を基準にして定められる位置としてもよい。
【００４７】
また、条件受付画面８４には、記憶部３６に記憶されている管理対象情報２４について過去に提供の要求が行われた領域であって、基準位置の近傍範囲（周辺の領域）を指定する“近傍範囲”との項目が設けられている。図７に示す例では、記憶部３６に記憶されている管理対象情報２４について携帯端末装置１２が現在存する場所を中心にして指定された圏内の場所で過去に管理対象情報２４の提供の要求が行われて記憶部３６から取り出された管理対象情報２４が今回の提供要求の対象とされる管理対象情報２４であることが示されている。つまり、図７に示す例では、“近傍範囲”との項目に“１００ｍ圏内”が指定されている。これは、携帯端末装置１２が現在存する位置を中心にして、その中心を除く半径１００ｍ以内に含まれる場所で過去に管理対象情報２４の提供の要求が行われて記憶部３６から取り出された管理対象情報２４が今回の提供要求の対象とされることを意味している。
【００４８】
ステップ１０４では、ＣＰＵ７０Ａにより、受付部７６で条件受付画面８４に設けられている項目に関する情報が受け付けられたか否かが判定される。本ステップ１０４において、条件受付画面８４に設けられている項目に関する情報が受け付けられた場合は判定が肯定されてステップ１０６へ移行する。本ステップ１０４において、条件受付画面８４に設けられている項目に関する情報が受け付けられていない場合は判定が否定されてステップ１０８へ移行する。
【００４９】
ステップ１０６では、ＣＰＵ７０Ａにより、ステップ１０４で受け付けられた情報が条件受付画面８４の該当する項目に表示されると共に条件受付画面８４の該当する項目毎にＲＡＭ７０Ｃに記憶される。次のステップ１０８では、ＣＰＵ７０Ａにより、条件受付画面８４に設けられている項目に関する情報の受け付けを終了する条件（終了条件）が受け付けられた、との条件）を満足したか否かが判定される。ここで言う「終了条件」とは、例えば受付部７６で条件受付の終了指示（一例として条件受付画面の“実行”とのボタンを押す指示）が挙げられる。本ステップ１０８において、条件受付画面８４に設けられている項目に関する情報の受け付けを終了する条件を満足した場合は判定が肯定されてステップ１１０へ移行する。本ステップ１０８において、条件受付画面８４に設けられている項目に関する情報の受け付けを終了する条件を満足していない場合は判定が否定されてステップ１０４へ移行する。
【００５０】
ステップ１１０では、ＣＰＵ７０Ａにより、携帯端末装置１２の現在存する位置を特定するＧＰＳ情報４２が取得される。次のステップ１１２では、ＣＰＵ７０Ａにより、上記のステップ１０６でＲＡＭ７０Ｃに記憶された情報（条件受付画面８４に設けられた項目のそれぞれに関する情報）及び上記のステップ１１０で取得されたＧＰＳ情報４２を含む提供候補抽出要求情報が生成される。次のステップ１１４では、ＣＰＵ７０Ａにより、上記のステップ１１２で生成された提供候補抽出要求情報が通信部８０を介してサーバ装置１４へ送信される。
【００５１】
次のステップ１１６では、後述する提供処理が行われることでサーバ装置１４から送信される提供候補情報が通信部８０で受信されたか否かが判定される。本ステップ１１６において、提供候補情報が通信部８０で受信された場合は判定が肯定されてステップ１１８へ移行する。本ステップ１１６において、提供候補情報が通信部８０で受信されない場合は判定が否定されてステップ１１６の判定が再び行われる。
【００５２】
ステップ１１８では、ＣＰＵ７０Ａにより、上記のステップ１１６で受信された提供候補情報に基づいて一例として図８に示す提供候補一覧画面８６が表示部７８に表示される。なお、詳しくは後述するが、上記のステップ１１６で受信された提供候補情報には、管理対象特定情報が含まれている。また、この提供候補情報には、管理対象特定情報毎に、対応するタイトル情報も含まれている。また、この提供候補情報には、管理対象特定情報毎に、対応する管理対象特定情報により特定される管理対象情報２４の過去の提供回数を示す情報も含まれている。従って、提供候補一覧画面８６には、サーバ装置１４の記憶部３６に記憶されている管理対象情報２４に付与されたタイトルと管理対象情報２４毎の過去に提供された実績（過去の提供回数）とが表示される。図８に示す例では、過去に提供された実績として“閲覧回数”が値の大きい順に示されており、閲覧回数毎に、対応する管理対象情報２４のタイトルが示されている。図８に示す例では、“プレゼン資料Ａ”とのタイトルが付された管理対象情報２４が過去に最も閲覧（提供）されていることが示されている。
【００５３】
次のステップ１２０では、ＣＰＵ７０Ａにより、提供候補一覧画面８６に表示されているタイトルにより特定される管理対象情報２４の提供を要求する指示が受付部７６で受け付けられたか否かが判定される。本ステップ１２０において、管理対象情報２４の提供を要求する指示が受付部７６で受け付けられた場合は判定が肯定されてステップ１２２へ移行する。本ステップ１２０において、管理対象情報２４の提供を要求する指示が受付部７６で受け付けられていない場合は判定が否定されてステップ１２４へ移行する。
【００５４】
ステップ１２２では、ＣＰＵ７０Ａにより、ステップ１２０で受け付けられた指示に応じた情報がＲＡＭ７０Ｃに記憶される。すなわち、ステップ１２０で受け付けられた指示によって提供を要求する管理対象情報２４を特定する管理対象特定情報がＲＡＭ７０Ｃに記憶される。なお、管理対象特定情報に代えて管理対象情報２４に係るタイトル情報を採用してもよい。
【００５５】
次のステップ１２４では、ＣＰＵ７０Ａにより、管理対象情報２４の提供を要求する指示の受け付けを終了する条件（例えば受付部７６で管理対象情報２４の提供を要求する指示の受け付けの終了指示が受け付けられた、との条件）を満足したか否かが判定される。本ステップ１２４において、管理対象情報２４の提供を要求する指示の受け付けを終了する条件を満足した場合は判定が肯定されてステップ１２６へ移行する。本ステップ１２４において、管理対象情報２４の提供を要求する指示の受け付けを終了する条件を満足していない場合は判定が否定されてステップ１２０へ移行する。
【００５６】
ステップ１２６では、ＣＰＵ７０Ａにより、上記のステップ１２２でＲＡＭ７０Ｃに記憶された情報、すなわち、管理対象特定情報が通信部８０を介してサーバ装置１４へ送信される。次のステップ１２８では、ＣＰＵ７０Ａにより、後述する提供処理が行われることでサーバ装置１４から送信されることで提供される管理対象情報２４が通信部８０で受信されたか否かが判定される。本ステップ１２８において、管理対象情報２４が通信部８０で受信された場合は判定が肯定されてステップ１３０へ移行する。本ステップ１２８において、管理対象情報２４が通信部８０で受信されない場合は判定が否定されてステップ１２８の判定が再び行われる。なお、ここでは、判定が否定された場合はステップ１２８の判定が再び行われる態様を例示しているが、これに限らず、ステップ１２６が行われてから所定期間（例えば６０秒）経過した場合に本提供要求処理が終了するようにしてもよい。
【００５７】
ステップ１３０では、ＣＰＵ７０Ａにより、上記のステップ１２８で受信された管理対象情報２４により示される内容が表示部７８に表示されることで、管理対象情報２４がユーザに提供された後、本提供要求処理が終了する。
【００５８】
次に本実施形態の作用として、ＣＰＵ３２が提供処理プログラムを実行することでサーバ装置１４で行われる提供処理について、図９を参照して説明する。図９に示す提供処理では、先ず、ステップ１５０において、受信部１６により、上記の提供要求処理のステップ１１４で携帯端末装置１２から送信された提供候補抽出要求情報が受信されたか否かが判定される。本ステップ１５０において、提供候補抽出要求情報が受信された場合は判定が肯定されてステップ１５２へ移行する。本ステップ１５０において、提供候補抽出要求情報が受信されない場合は判定が否定されてステップ１５０の判定が再び行われる。
【００５９】
ステップ１５２では、制御部１８及び提供部２０により、上記のステップ１５０で受信された提供候補抽出要求情報からＧＰＳ情報４２が取得される。次のステップ１５４では、制御部１８により、上記のステップ１５２で取得されたＧＰＳ情報４２が記憶部３６に記憶されているか否かが判定される。本ステップ１５４において、ＧＰＳ情報４２が記憶部３６に記憶されている場合は判定が肯定されてステップ１５６へ移行する。本ステップ１５４において、ＧＰＳ情報４２が記憶部３６に記憶されていない場合は判定が否定されてステップ１５８へ移行する。
【００６０】
ステップ１５８では、制御部１８により、上記のステップ１５２で取得されたＧＰＳ情報４２が、記憶部３６に記憶されている管理対象情報２４に対応付けられて記憶部３６に記憶される。次のステップ１６０では、提供部２０により、記憶部３６に記憶されている全ての管理対象情報２４が取得される。
【００６１】
一方、ステップ１５６では、提供部２０により、記憶部３６に記憶されている管理対象情報２４から、上記のステップ１５２で取得されたＧＰＳ情報４２が対応付けられている管理対象情報２４が取得される。
【００６２】
次のステップ１６２では、提供部２０により、上記のステップ１５０で受信された提供候補抽出要求情報に、近傍範囲を指定する近傍範囲指定情報が含まれているか否かが判定される。本ステップ１６２において、提供候補抽出要求情報に近傍範囲指定情報が含まれている場合は判定が肯定されてステップ１６４へ移行する。本ステップ１６２において、提供候補抽出要求情報に近傍範囲指定情報が含まれていない場合は判定が否定されてステップ１７０へ移行する。
【００６３】
ステップ１６４では、提供部２０により、上記のステップ１５０で受信された提供候補抽出要求情報から近傍範囲指定情報が取得される。次のステップ１６６では、提供部２０により、上記のステップ１６４で取得された近傍範囲指定情報により指定される近傍範囲内の位置を特定するＧＰＳ情報４２が対応付けられた管理対象情報２４が、現時点で取得されている管理対象情報２４に存在しているか否かが判定される。本ステップ１６６において、指定される近傍範囲内の位置を特定するＧＰＳ情報４２が対応付けられた管理対象情報２４が、現時点で取得されている管理対象情報２４に存在している場合は判定が肯定されてステップ１６８へ移行する。本ステップ１６６において、指定される近傍範囲内の位置を特定するＧＰＳ情報４２が対応付けられた管理対象情報２４が、現時点で取得されている管理対象情報２４に存在していない場合は判定が否定されてステップ１７０へ移行する。ステップ１６８では、提供部２０により、指定される近傍範囲内の位置を特定するＧＰＳ情報４２が対応付けられた管理対象情報２４が、現時点で取得されている管理対象情報２４から取得される。すなわち、指定される近傍範囲内の位置を特定するＧＰＳ情報４２が対応付けられた管理対象情報２４以外の管理対象情報２４が、現時点で取得されている管理対象情報２４から廃棄される。
【００６４】
次のステップ１７０では、提供部２０により、上記のステップ１５０で受信された提供候補抽出要求情報に、“抽出時間帯”を指定する期間指定情報が含まれているか否かが判定される。本ステップ１７０において、提供候補抽出要求情報に期間指定情報が含まれている場合は判定が肯定されてステップ１７２へ移行する。本ステップ１７０において、提供候補抽出要求情報に期間指定情報が含まれていない場合は判定が否定されてステップ１７８へ移行する。
【００６５】
ステップ１７２では、提供部２０により、上記のステップ１５０で受信された提供候補抽出要求情報から期間指定情報が取得される。次のステップ１７４では、提供部２０により、履歴ＤＢ４４に基づいて、上記のステップ１７２で取得された期間指定情報により指定される“抽出時間帯”に記憶部３６から抽出された（取り出された）実績のある管理対象情報２４が、現時点で取得されている管理対象情報２４に存在しているか否かが判定される。本ステップ１７４において、指定される“抽出時間帯”に記憶部３６から抽出された実績のある管理対象情報２４が、現時点で取得されている管理対象情報２４に存在している場合は判定が肯定されてステップ１７６へ移行する。本ステップ１７４において、指定される“抽出時間帯”に記憶部３６から抽出された実績のある管理対象情報２４が、現時点で取得されている管理対象情報２４に存在していない場合は判定が否定されてステップ１７８へ移行する。ステップ１７６では、提供部２０により、指定される“抽出時間帯”に記憶部３６から抽出された実績のある管理対象情報２４が、現時点で取得されている管理対象情報２４から取得される。すなわち、指定される“抽出時間帯”に記憶部３６から抽出された実績のある管理対象情報２４以外の管理対象情報２４が、現時点で取得されている管理対象情報２４から廃棄される。
【００６６】
ステップ１７８では、提供部２０により、履歴ＤＢ４４に基づいて、現時点で取得されている管理対象情報２４について個別の過去の提供回数が取得される。次のステップ１８０では、提供部２０により、現時点で取得されている管理対象情報２４に係る管理対象特定情報及びタイトル情報並びに現時点で取得されている管理対象情報２４毎に対応付けられた上記のステップ１７８で取得された過去の提供回数を含む提供候補情報が生成される。なお、提供候補情報に含まれる管理対象特定情報及びタイトル情報は、履歴ＤＢ４４及び管理対象特定ＤＢ４６から取得される。
【００６７】
次のステップ１８２では、上記のステップ１８０で生成された提供候補情報が携帯端末装置１２へ通信部６２を介して送信される。このように携帯端末装置１２へ送信された提供候補情報には提供処理のステップ１８０が行われる時点で提供部２０により取得されている管理対象情報２４を特定する管理対象特定情報、タイトル情報及び取得された管理対象情報２４毎に対応付けられた上記のステップ１７８で取得された過去の提供回数が含まれている。従って、提供要求処理のステップ１１８では図８に示すように提供回数を閲覧回数として管理対象情報２４毎に表示されると共に閲覧回数に対応させて管理対象情報２４のタイトルが表示される。
【００６８】
次のステップ１８４では、受信部１６により、上記の提供要求処理のステップ１２６で携帯端末装置１２から送信された管理対象特定情報が受信されたか否かが判定される。本ステップ１８４において、管理対象特定情報が受信された場合は判定が肯定されてステップ１８６へ移行する。本ステップ１８４において、管理対象特定情報が受信されない場合は判定が否定されてステップ１８８へ移行する。ステップ１８８では、本提供処理が終了する条件（例えばステップ１８２が行われてから所定期間（例えば６０秒）経過した、との条件）を満足したか否かが判定される。本ステップ１８８において、本提供処理が終了する条件を満足した場合は判定が肯定されて本提供処理が終了する。本ステップ１８８において、本提供処理が終了する条件を満足しない場合は判定が否定されてステップ１８４へ移行する。
【００６９】
ステップ１８６では、上記のステップ１８４で受信された管理対象特定情報により特定される管理対象情報２４が記憶部３６から取得される。次のステップ１９０では、上記のステップ１８６から取得された管理対象情報２４に係る情報が履歴ＤＢ４４に追記される。すなわち、上記のステップ１８６で取得された管理対象情報２４に係る日時情報、種類情報、ユーザ情報、ＧＰＳ情報及び管理対象特定情報が履歴ＤＢ４４に追記される。
【００７０】
次のステップ１９２では、上記のステップ１８６で取得された管理対象情報２４が通信部６２を介して携帯端末装置１２に送信された後、本提供処理が終了する。このように携帯端末装置１２へ送信されると、提供要求処理のステップ１２８では、ＣＰＵ７０Ａにより管理対象情報２４が受信され、ステップ１３０において、ＣＰＵ７０Ａにより、ステップ１２８で受信された管理対象情報２４により示される内容が表示部７８に表示される。従って、携帯端末装置１２が現在存する場所で過去に管理対象情報２４の提供を要求してサーバ装置１４から要求に応じた管理対象情報２４が提供された実績があれば、過去に提供された管理対象情報２４と相違しない管理対象情報２４が提供される。
【００７１】
図１０には、ある発表会において発表者が所持している資料及び参加者（聴衆）が所持している資料の一例が模式的に示されている。図１０に示すように何らかの発表会にて発表者が管理対象情報２４により示される内容の一例である“ＤｏｃＡ〜Ｃ”という文書資料を用いて発表する場合、発表会の会場に先ず発表者のみが文書資料を持参せずに来場したとする。この場合、発表者は所有している携帯端末装置１２を介してサーバ装置１４に文書資料を示す管理対象情報２４の提供を要求する（ステップ１００〜１１４）。このとき、記憶部３６には文書資料を示す管理対象情報２４が記憶されているものの、未だに管理対象情報２４が提供された実績がないため管理対象情報２４にＧＰＳ情報４２が対応付けられていない（ステップ１５４：Ｎ）。そこで、サーバ装置１４にて文書資料を示す管理対象情報２４に対して発表者が所有している携帯端末装置１２の現在存する場所を特定するＧＰＳ情報４２が対応付けられる（ステップ１６０）。そして、サーバ装置１４は、記憶部３６に記憶されている管理対象情報２４に係る情報（例えば管理対象特定情報、タイトル情報及び提供回数）を提供候補情報として携帯端末装置１２に送信する（ステップ１８２）。
【００７２】
発表者は、携帯端末装置１２を介してサーバ装置１４から送信された管理対象情報２４に係る情報を参照しながら自身が欲する管理対象情報２４の提供をサーバ装置１４に対して要求する（ステップ１２６）。この要求に応じてサーバ装置１４は発表者が欲する管理対象情報２４を記憶部３６から取得し、取得した管理対象情報２４を発表者の携帯端末装置１２に送信することで管理対象情報２４を提供する（ステップ１９２）。
【００７３】
次に、発表者が管理対象情報２４の提供を受けた後に、参加者が“ＤｏｃＡ〜Ｃ”を持参せずに来場したとする。この場合、参加者は所有している携帯端末装置１２を介してサーバ装置１４に文書資料を示す管理対象情報２４の提供を要求する（ステップ１００〜１１４）。このとき、記憶部３６には文書資料を示す管理対象情報２４と発表会の会場の位置を特定するＧＰＳ情報４２とが対応付けられて記憶されている。従って、サーバ装置１４は、発表会の会場からの参加者の要求に応じて、発表会の会場の位置を特定するＧＰＳ情報４２が対応付けられた管理対象情報２４に係る情報（管理対象特定情報、タイトル情報及び提供回数）を携帯端末装置１２に送信する（ステップ１８２）。
【００７４】
参加者は、携帯端末装置１２を介してサーバ装置１４から送信された管理対象情報２４に係る情報を参照しながら自身が欲する管理対象情報２４の提供をサーバ装置１４に対して要求する（ステップ１２６）。この要求に応じてサーバ装置１４は参加者が欲する管理対象情報２４を記憶部３６から取得し、取得した管理対象情報２４を発表者の携帯端末装置１２に送信することで管理対象情報２４を提供する（ステップ１９２）。
【００７５】
このように携帯端末装置１２の要求に応じてサーバ装置１４が管理対象情報２４を提供することで、発表者及び参加者に対する提供の履歴は履歴ＤＢ４４に記憶される（ステップ１９０）。従って、既に発表が始まっているところに、図１０に示すように参加者Ａが遅れて来場したとしても、参加者Ａには履歴ＤＢ４４に基づく提示候補情報が参加者Ａに提供される。そのため、履歴ＤＢ４４を有しない場合に比べ、現状に適した管理対象情報２４（現在最も多く提供されている管理対象情報２４）が何であるかを参加者Ａに容易に気付かせることを支援することとなる。図１０に示す例では、参加者Ａはサーバ装置１４から送信された提供候補情報を携帯端末装置１２で取得することで（ステップ１１６，１１８）、“ＤｏｃＡ”の文書資料が最も多く提供されていることを認識することとなる。そして、ユーザは、自身が所有する携帯端末装置１２を介してサーバ装置１４に対して“ＤｏｃＡ”の文書資料を示す管理対象情報２４の提供を要求することで（ステップ１２６）、サーバ装置１４から現状に適した管理対象情報２４の提供を受けることとなる（ステップ１２８，１３０）。
【００７６】
また、本実施形態では、図８に示すように全ての管理対象情報２４に対する閲覧回数を提示すると共に閲覧回数毎に管理対象情報２４を特定する情報（タイトル情報）を提示する態様を例示したが、開示の技術はこれに限定されるものではなく、例えば閲覧回数が最多の管理対象情報２４を特定する情報を提示するようにしてもよい。
【００７７】
また、提供部２０により、過去の閲覧回数が所定回数以上の管理対象情報２４のみを記憶部３６から抽出して携帯端末装置１２に提供するようにしてもよい。この場合、先ず、サーバ装置１４が提供候補情報として所定回数以上の閲覧実績のある管理対象情報２４に係る管理対象特定情報やタイトル情報を携帯端末装置１２を介してユーザに提供して、ユーザに管理対象情報２４を選ばせる。すなわち、ユーザは、携帯端末装置１２を介して管理対象特定情報をサーバ装置１４に送信することでサーバ装置１４に対して管理対象情報２４の提供を要求する。サーバ装置１４は、携帯端末装置１２から送信された管理対象特定情報により特定される管理対象情報２４を携帯端末装置１２に送信することでユーザに対して管理対象情報２４を提供する。
【００７８】
また、本実施形態では、サーバ装置１４が管理対象情報２４を携帯端末装置１２に送信することで管理対象情報２４をユーザに提供する態様を例示したが、開示の技術はこれに限定されるものではない。例えば、サーバ装置１４に接続された外部装置の一例であるプリンタに対して管理対象情報２４により示される内容を用紙に印刷させることで印刷物としてユーザに提供してもよい。また、表示部５８やコンピュータ３０に接続された外部装置の一例であるディスプレイに管理対象情報２４により示される内容を表示することで管理対象情報２４をユーザに提供するようにしてもよい。また、音声再生装置により管理対象情報２４により示される内容を音声として出力することにより管理対象情報２４をユーザに提供するようにしてもよい。
【符号の説明】
【００７９】
１０  情報処理システム
１２  携帯端末装置
１４  サーバ装置
１６  受信部
１８  制御部
２０  提供部
２４  管理対象情報
２６  場所特定情報
３２  ＣＰＵ
【図１】
0005370522.tif 000002
【図２】
0005370522.tif 000003
【図３】
0005370522.tif 000004
【図４】
0005370522.tif 000005
【図５】
0005370522.tif 000006
【図６】
0005370522.tif 000007
【図７】
0005370522.tif 000008
【図８】
0005370522.tif 000009
【図９】
0005370522.tif 000010
【図１０】
0005370522.tif 000011